(57)【要約】      （修正有）【課題】本発明の目的は、スカーフとしての審美性を損なうことなく、雨水からバッグを防護する形状を備えたスカーフを提供することである。【解決手段】スカーフ１０は、長さが１０ｃｍ〜２５ｃｍ、幅が７．５ｃｍ以下の口孔部１１を備えている。また、上記目的は、シルク素材で構成され、撥水加工または防水加工が施されている、上記に記載のスカーフ１０によっても達成される。また、上記目的は、食物繊維、動物繊維、再生繊維、半合成繊維、合成繊維、またはこれらの繊維のうちのいずれかを配合した繊維で構成され、撥水加工または防水加工が施されている、上記に記載のスカーフ１０によって達成される。【選択図】図１
2018199874.tif 000002
【特許請求の範囲】
【請求項１】
長さが１０ｃｍ〜２５ｃｍ、幅が７．５ｃｍ以下となる口孔部を備えている、スカーフ。
【請求項２】
シルク素材で構成され、撥水加工または防水加工が施されている、請求項１に記載のスカーフ。
【請求項３】
食物繊維、動物繊維、再生繊維、半合成繊維、合成繊維、またはこれらの繊維のうちのいずれかを配合した繊維で構成され、撥水加工または防水加工が施されている、請求項１に記載のスカーフ。
【発明の詳細な説明】
【技術分野】
【０００１】
本発明は、スカーフに関する。
【背景技術】
【０００２】
従来、様々な用途に合わせて、一般的な形状とは異なる形状を備えたスカーフが知られている（例えば、特許文献１〜３）。
【先行技術文献】
【特許文献】
【０００３】
【特許文献１】特開２０１１−４７０９３号公報
【特許文献２】特開平１０−１２１３１１号公報
【特許文献３】特開平５−２４７７０６号公報
【発明の概要】
【発明が解決しようとする課題】
【０００４】
しかし、特許文献１〜３に示すスカーフでは、バッグ（特に女性用の高級バッグ）を雨水から防護するための形状を備えていない。例えば、特許文献１に示すスカーフは、中央部の開口部分が首周り以上の長さとなるため、バッグの取っ手を開口部分に通すことができるものの、バッグと開口部分の隙間が大きくなってしまうため、バッグを雨水から保護する形状ではない。特許文献２に示すスカーフは、頂点から中心部に向けて切り欠きがある形状のため、バッグを雨水から保護する形状ではない。特許文献３に示スカーフも着用を目的とした形状であるため、バッグの取っ手を衿元部１に通すことができるものの、バッグと衿元部１の隙間が大きくなってしまうため、バッグを雨水から保護する形状ではない。
【０００５】
本発明の目的は、スカーフとしての審美性を損なうことなく、雨水からバッグを防護する形状を備えたスカーフを提供することである。
【課題を解決するための手段】
【０００６】
上記目的は、長さが１０ｃｍ〜２５ｃｍ、幅が７．５ｃｍ以下となる口孔部（１１、３１）を備えている、スカーフ（１０、２０、３０）によって達成される。
【０００７】
また、上記目的は、シルク素材で構成され、撥水加工または防水加工が施されている、上記に記載のスカーフ（１０、２０、３０）によっても達成される。
【０００８】
また、上記目的は、食物繊維、動物繊維、再生繊維、半合成繊維、合成繊維、またはこれらの繊維のうちのいずれかを配合した繊維で構成され、撥水加工または防水加工が施されている、上記に記載のスカーフ（１０、２０、３０）によって達成される。
【発明の効果】
【０００９】
本発明によれば、スカーフとしての審美性を損なうことなく、雨水からバッグを防護する形状を備えたスカーフを提供することができる。
【図面の簡単な説明】
【００１０】
【図１】本発明の第一の実施形態によるスカーフ１０の表面を説明する図である。
【図２】本発明の第一の実施形態によるスカーフ１０の裏面を説明する図である。
【図３】本発明の第二の実施形態によるスカーフ２０の表面を説明する図である。
【図４】本発明の第三の実施形態によるスカーフ３０の表面を説明する図である。
【図５】バッグ１００の正面図である。
【図６】本発明の第一の実施形態によるスカーフ１０をバッグ１００のカバーとして使用した状態を説明するための図である。
【図７】本発明の第一の実施形態によるスカーフ１０をバッグ１００のカバーとして使用した状態を説明するための図である。
【図８】本発明の第一の実施形態によるスカーフ１０をバッグ１００のアクセサリーとして使用した状態を説明するための図である。
【発明を実施するための形態】
【００１１】
以下、図１〜図８を用いて、本発明の実施形態によるスカーフを説明する。なお、以下の全ての図面においては、理解を容易にするため、各構成要素の寸法や比率などは適宜異ならせて図示している。
【００１２】
図１、図２を用いて、本発明の第一の実施形態によるスカーフ１０を説明する。図１は、スカーフ１０の表面を正面から見た図であり、図２は、スカーフ１０の裏面を正面から見た図である。
【００１３】
本発明の第一の実施形態によるスカーフ１０は、シルク素材で形成されている。また、図１、図２に示すように、スカーフ１０の中心に、長さが２０ｃｍの略直線状の口孔部１１が設けられている。本実施形態の口孔部１１の長さは、一般に市販されているバッグの取っ手を通すことが可能となる長さであるが、口孔部１１の長さを１０ｃｍ〜２５ｃｍの範囲としてもよいし、口孔部１１の長さを１０ｃｍ以下としてもよいし、２５ｃｍ以上にしてもよい。
【００１４】
口孔部１１は、スカーフ１０の中心部分とスカーフ１０に縫い付けられた補強布１２を２０ｃｍ程度、裁断することで形成される。また、図１及び図２に示すように、口孔部１１は、補強布１２によって、幅が１ｃｍ〜２ｃｍの玉縁１２ａ、１２ｂを形成することで補強される。また、玉縁１２ａ、１２ｂは、口孔部１１に力が作用していない状態（スカーフ１０をバッグのカバーとして使用しない状態）において、玉縁１２ａ、１２ｂ同士がぴったりと接触するように形成されている。また、玉縁１２ａ、１２ｂの幅は１ｃｍ以下でもよいし、２ｃｍ以上でもよい。なお、これ以外の方法でも、口孔部１１を補強する場合があってもよい。また、補強布１２は、スカーフ１０と同じシルク素材を用いてもよいし、シルク以外の布を用いてもよい。例えば、補強布１２に伸縮性を備えたストレッチ素材（例えば、ポリウレタンやポリエステルを含む素材）を用いることで、口孔部１１が伸縮自在になる。また、口孔部１１は、スカーフ１０の中心部分に設けられるのが好適であるものの、中心部分以外の箇所に設けてもよい。また、口孔部１１は、長方形状や棒状や細長楕円状であってもよいし、これら以外の形状であってもよい。
【００１５】
スカーフ１０は、繊維密度を高くすると伴に繊維の表面にフッ素樹脂をコーティングすることで、防水加工及び撥水加工が施されている。なお、防水加工として、繊維と繊維の隙間にパラフィンなどの物質を埋めてもよいし、撥水加工として、繊維の表面にシリコン樹脂や非結晶二酸化ケイ素等をコーティングしてもよい。
【００１６】
なお、スカーフ１０の表面のみに撥水加工を薄く施す場合（例えば、霧状のフッ素コーティング剤やシリコンコーティング剤を吹き付ける場合）があってもよいし、防水加工や撥水加工を施さない場合があってもよい。
【００１７】
図３を用いて、本発明の第二の実施形態によるスカーフ２０を説明する。図３は、スカーフ２０の表面を正面から見た図である。
【００１８】
図３に示すように、スカーフ２０の表面には、口孔部１１を被うための布片２１が縫い付けられている。布片２１を縫いつけることで、布片２１の縫い付けられていない部分（図３において布片２１の右半分の部分）をめくることができ、口孔部１１を露出させることもできる。布片２１により口孔部１１が隠されるため、スカーフとしての審美性が失われないという利点があると伴に、スカーフ２０をバッグのカバーとして使用する場合には、口孔部１１より雨水が進入することを防止することもできる。また、布片２１は、スカーフ２０の本体と同じ生地や同じ模様で形成されていることが好適である。また、布片２１は、裏面に縫い付けられる場合があってもよい。
【００１９】
また、口孔部１１から雨水が進入しないように、口孔部１１にホックやファスナー等の口孔を閉じる構造物が設けられる場合があってもよい。
【００２０】
図４を用いて、本発明の第三の実施形態によるスカーフ３０を説明する。図４は、スカーフ３０の表面を正面から見た図である。
【００２１】
図４に示すスカーフ３０は、口孔部３１の長さが２５ｃｍ、幅が７．５ｃｍの大きさで形成されている。上述のスカーフ１０、２０の口孔部１１とは異なり、口孔部に幅を持たせることで、バッグの取っ手を通し易くしている。なお、口孔部の幅は、７．５ｃｍ以上であってもよいし７．５ｃｍ以下であってもよいし、口孔部の幅を使用するバッグの取っ手の厚みに合せて形成してもよい。
【００２２】
図５乃至図８を用いて、本発明の第一の実施形態によるスカーフ１０をバッグ１００のカバーとして使用した状態とバッグ１００のアクセサリーとして使用した状態を説明する。
【００２３】
図６は、スカーフ１０を図５に示すバッグ１００のカバーとして使用した状態を示している。スカーフ１０の口孔部１１にバッグ１００の取っ手を通すことで、バッグ１００をスカーフ１０で被っている。バッグ１００のカバーとしてスカーフ１０を用いることで、スカーフ１０の模様を楽しむこともできると伴に、バッグ１００を雨水や太陽光線や埃等から防護することができる。
【００２４】
図７は、スカーフ１０をバッグ１００のカバーとして使用した状態を示し、図６とは異なる使用状態を示している。図７に示す使用状態では、スカーフ１０の端の部分を折りたたみヘアピン等で留めてことで、スカーフ１０でバッグ１００の全体を包み込むようにしている。また、スカーフ１０の端の部分を結ぶことで、スカーフ１０でバッグ１００の全体を包み込むようにしてもよい。
【００２５】
図８は、スカーフ１０をバッグ１００のアクセサリーとして使用した状態を示している。図８に示すように、雨が降っていない場合に、バッグの取っ手にスカーフ１０を結びつけることで、バッグのアクセサリーとして使用し、雨が降りだした場合に、図６または図７に示すようにスカーフ１０をバッグのカバーとして使用することができる。
【００２６】
また、スカーフ１０、２０、３０は、バッグのカバーやアクセサリー以外の用途で用いてもよい。例えば、スカーフ１０、２０、３０は、撥水加工が施されていることで汚れがつきにくいため、外出先において、幼児や乳児のよだれかけとしての用途や食事の際のエプロンとしての用途に用いてもよい。
【００２７】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【００２８】
本発明は、あらゆる素材（例えば、綿、麻等の食物繊維、シルク、ウール、カシミア、蜘蛛糸等の動物繊維、レーヨン、キュプラ等の再生繊維、アセテート等の半合成繊維、ポリエステル、ナイロン、アクリル、ポリウレタン等の合成繊維、またはこれらの繊維のうちのいずれかを配合した繊維）のスカーフ、ストール、及びハンカチにおいても適用できる。
【産業上の利用可能性】
【００２９】
本発明は、スカーフにおいて広く利用可能である。
【符号の説明】
【００３０】
１０、２０、３０  スカーフ
１１、３１  口孔部
１２  補強布
１２ａ、１２ｂ  玉縁
２１  布片
１００  バッグ
【図１】
2018199874.tif 000003
【図２】
2018199874.tif 000004
【図３】
2018199874.tif 000005
【図４】
2018199874.tif 000006
【図５】
2018199874.tif 000007
【図６】
2018199874.tif 000008
【図７】
2018199874.tif 000009
【図８】
2018199874.tif 000010